(57)【特許請求の範囲】
【請求項１】
無線通信システムにおいてユーザ機器で複数のコンポーネント搬送波を用いてサウンディング参照信号を基地局に送信する方法であって、
前記方法は、
前記基地局から前記複数のコンポーネント搬送波のオフセット値を受信することであって、前記オフセット値の各々は、前記サウンディング参照信号が送信されるサブフレームに対応する、ことと、
前記複数のコンポーネント搬送波を用いて、前記サウンディング参照信号を前記基地局に送信することと
を含み、前記サウンディング参照信号が同一のサブフレームで少なくとも２つのコンポーネント搬送波を用いて送信される場合に、最も長いサウンディング参照信号送信周期を有するサウンディング参照信号のみが送信される、方法。
【請求項２】
前記複数のコンポーネント搬送波のオフセット値は、互いに異なる、請求項１に記載の方法。
【請求項３】
前記複数のコンポーネント搬送波に対するサウンディング参照信号送信周期は、互いに異なる、請求項２に記載の方法。
【請求項４】
前記複数のコンポーネント搬送波に対するサウンディング参照信号帯域幅は、互いに異なる、請求項２に記載の方法。
【請求項５】
無線通信システムにおけるユーザ機器であって、
前記ユーザ機器は、
基地局からサウンディング参照信号に対するパラメータを受信する受信モジュールと、
前記パラメータから複数のコンポーネント搬送波のオフセット値を確認するプロセッサであって、前記オフセット値の各々は、サウンディング参照信号が送信されるサブフレームに対応する、プロセッサと、
前記複数のコンポーネント搬送波を用いて、前記サウンディング参照信号を前記基地局に送信する送信モジュールと
を含み、前記サウンディング参照信号が同一のサブフレームで少なくとも２つのコンポーネント搬送波を用いて送信される場合に、最も長いサウンディング参照信号送信周期を有するサウンディング参照信号のみが送信される、ユーザ機器。
【請求項６】
前記複数のコンポーネント搬送波のオフセット値は、互いに異なる、請求項５に記載のユーザ機器。
【請求項７】
前記複数のコンポーネント搬送波に対するサウンディング参照信号送信周期は、互いに異なる、請求項６に記載のユーザ機器。
【請求項８】
前記複数のコンポーネント搬送波に対するサウンディング参照信号帯域幅は、互いに異なる、請求項６に記載のユーザ機器。
【発明の詳細な説明】
【技術分野】
【０００１】
本発明は、無線通信システムに係り、特に、複数の周波数ブロックを使用する無線通信システムにおいて端末がサウンディング参照信号を基地局に送信する方法及びそのための装置に関するものである。
【背景技術】
【０００２】
本発明が適用されうる移動通信システムの一例として、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、“ＬＴＥ”という。）通信システムについて概略的に説明する。
【０００３】
図１は、移動通信システムの一例としてＥ−ＵＭＴＳネットワーク構造を概略的に示す図である。
【０００４】
Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進展したシステムであり、現在３ＧＰＰで基礎的な標準化作業を行われている。一般に、Ｅ−ＵＭＴＳは、ＬＴＥ（Ｌｏｎｇ  Ｔｅｒｍ  Ｅｖｏｌｕｔｉｏｎ）システムとも呼ばれる。ＵＭＴＳ及びＥ−ＵＭＴＳの技術規格（ｔｅｃｈｎｉｃａｌ  ｓｐｅｃｉｆｉｃａｔｉｏｎ）の詳細な内容はそれぞれ、“３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ”のＲｅｌｅａｓｅ  ７及びＲｅｌｅａｓｅ  ８を参照すればよい。
【０００５】
図１を参照すると、Ｅ−ＵＭＴＳは、端末（Ｕｓｅｒ  Ｅｑｕｉｐｍｅｎｔ；ＵＥ）１２０、基地局（ｅＮｏｄｅ  Ｂ；ｅＮＢ）１１０ａ及び１１０ｂ、及びネットワーク（Ｅ−ＵＴＲＡＮ）の終端に位置して外部ネットワークと接続する接続ゲートウェイ（Ａｃｃｅｓｓ  Ｇａｔｅｗａｙ；ＡＧ）を含む。基地局は、ブロードキャストサービス、マルチキャストサービス及び／またはユニキャストサービスのために多重データストリームを同時に伝送することができる。
【０００６】
一つの基地局には一つ以上のセルが存在する。セルは、１．２５、２．５、５、１０、１５、２０ＭＨｚなどの帯域幅のいずれか一つに設定され、複数の端末にアップリンクまたはダウンリンク伝送サービスを提供する。異なるセルは互いに異なる帯域幅を提供するように設定されてよい。基地局は、多数の端末に対するデータ送受信を制御する。ダウンリンク（Ｄｏｗｎｌｉｎｋ；ＤＬ）データに対して基地局はダウンリンクスケジューリング情報を伝送し、該当の端末にデータが伝送される時間／周波数領域、符号化、データ大きさ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、アップリンク（Ｕｐｌｉｎｋ；ＵＬ）データに対して基地局はアップリンクスケジューリング情報を該当の端末に伝送し、該当の端末が使用しうる時間／周波数領域、符号化、データ大きさ、ＨＡＲＱ関連情報などを知らせる。基地局同士間にはユーザトラフィックまたは制御トラフィックの伝送のためのインターフェースが用いられてよい。コアネットワーク（Ｃｏｒｅ  Ｎｅｔｗｏｒｋ；ＣＮ）は、ＡＧ及び端末のユーザ登録などのためのネットワークロードなどから構成されてよい。ＡＧは、複数のセルで構成されるＴＡ（Ｔｒａｃｋｉｎｇ  Ａｒｅａ）単位に端末の移動性を管理する。
【０００７】
無線通信技術は、ＷＣＤＭＡに基づいてＬＴＥまで開発されてきたが、ユーザと事業者の要求と期待は増加しつつある。また、他の無線接続技術が続々と開発されているため、将来、競合力を持つためには、新しい技術進展が要求される。ビット当たりのコスト低減、サービス可用性の増大、融通性ある周波数バンドの使用、単純構造と開放型インターフェース、端末の適切なパワー消耗などが要求される。
【０００８】
近年、３ＧＰＰでは、ＬＴＥの後続技術に関する標準化作業が行われている。本明細書では、該技術を“ＬＴＥ−Ａｄｖａｎｃｅｄ”または“ＬＴＥ−Ａ”と呼ぶ。ＬＴＥシステムとＬＴＥ−Ａシステムとの主な差異点の一つは、システム帯域幅の違いである。ＬＴＥ−Ａシステムは、最大１００ＭＨｚの広帯域を支援することを目標としている。そのために、ＬＴＥ−Ａシステムは、複数の周波数ブロックを使用して広帯域を達成する搬送波集約（ｃａｒｒｉｅｒ  ａｇｇｒｅｇａｔｉｏｎまたはｂａｎｄｗｉｄｔｈ  ａｇｇｒｅｇａｔｉｏｎ）技術を用いるようにしている。搬送波集約は、より広い周波数帯域を使用するために、複数の周波数ブロックを一つの大きな論理周波数帯域として用いるようにする。各周波数ブロックの帯域幅は、ＬＴＥシステムで用いられるシステムブロックの帯域幅に基づいて定義されればよい。それぞれの周波数ブロックは、コンポーネント搬送波を用いて伝送される。本明細書において、コンポーネント搬送波は、文脈によって搬送波集約のための周波数ブロックまたは周波数ブロックの中心搬送波を意味することができ、これらは混用される。
【発明の概要】
【発明が解決しようとする課題】
【０００９】
本発明の目的は、搬送波集約の適用された無線通信システムにおいて端末が基地局へサウンディング参照信号を送信する方法及びそのための装置を提供することにある。
【００１０】
本発明で達成しようとする技術的課題は、以上に言及した技術的課題に制限されものではなく、言及していない他の技術的課題は、下の記載から、本発明の属する技術の分野における通常の知識を有する者には明らかになるであろう。
【課題を解決するための手段】
【００１１】
上記課題を解決するための本発明の一実施例である、無線通信システムにおいて端末が複数のコンポーネント搬送波を用いてサウンディング参照信号を基地局に送信する方法は、前記基地局から、前記サウンディング参照信号が割り当てられるサブフレームに対応する、複数のコンポーネント搬送波のそれぞれのオフセット値を確認する段階と、前記複数のコンポーネント搬送波のうちの任意のコンポーネント搬送波を用いて前記サウンディング参照信号を送信する場合、前記任意のコンポーネント搬送波のオフセット値に対応するサブフレームで、前記任意のコンポーネント搬送波を用いて前記サウンディング参照信号を前記基地局に送信する段階と、を含む。
【００１２】
また、複数の前記サウンディング参照信号が同一のサブフレームで２以上のコンポーネント搬送波を用いて送信される場合、それらのサウンディング参照信号のうち、送信周期が最も長いサウンディング参照信号のみを送信する段階、または、それらのサウンディング参照信号のうち、コンポーネント搬送波の帯域幅が最大であるサウンディング参照信号のみを送信する段階をさらに含む。
【００１３】
好適には、前記オフセット値は、前記複数のコンポーネント搬送波のそれぞれに対して異なる値に設定される。
【００１４】
より好適には、前記サウンディング参照信号は、送信周期が前記複数のコンポーネント搬送波のそれぞれに対して異なる値に設定されたり、帯域幅が前記複数のコンポーネント搬送波のそれぞれに対して異なる値に設定される。
【００１５】
上記課題を解決するための本発明の他の実施例である、無線通信システムにおける端末装置は、基地局からサウンディング参照信号送信パラメータを受信する受信モジュールと、前記サウンディング参照信号送信パラメータから、前記サウンディング参照信号が割り当てられるサブフレームに対応する、複数のコンポーネント搬送波のそれぞれのオフセット値を確認するプロセッサと、前記複数のコンポーネント搬送波のうち、任意のコンポーネント搬送波を用いて前記サウンディング参照信号を送信する場合、前記任意のコンポーネント搬送波のオフセット値に対応するサブフレームで、前記任意のコンポーネント搬送波を用いて前記サウンディング参照信号を前記基地局に送信する送信モジュールと、を含む。
【００１６】
また、前記送信モジュールは、複数の前記サウンディング参照信号が同一のサブフレームで２以上のコンポーネント搬送波を用いて送信される場合、これらのサウンディング参照信号のうち、送信周期が最も長いサウンディング参照信号のみを送信したり、前記サウンディング参照信号のうち、コンポーネント搬送波の帯域幅が最大であるサウンディング参照信号のみを送信する。
【００１７】
好適には、前記オフセット値は、前記複数のコンポーネント搬送波のそれぞれに対して異なる値に設定される。
【００１８】
より好適には、前記サウンディング参照信号は、送信周期が前記複数のコンポーネント搬送波のそれぞれに対して異なる値に設定されたり、帯域幅が前記複数のコンポーネント搬送波のそれぞれに対して異なる値に設定される。
本発明は、例えば、以下の項目も提供する。
（項目１）
無線通信システムにおいて端末が複数のコンポーネント搬送波を用いてサウンディング参照信号を基地局に送信する方法であって、
前記基地局から、前記サウンディング参照信号が割り当てられるサブフレームに対応する、複数のコンポーネント搬送波のそれぞれのオフセット値を確認し、
前記複数のコンポーネント搬送波のうちの任意のコンポーネント搬送波を用いて前記サウンディング参照信号を送信する場合、前記任意のコンポーネント搬送波のオフセット値に対応するサブフレームで、前記任意のコンポーネント搬送波を用いて前記サウンディング参照信号を前記基地局に送信すること、
を含む、サウンディング参照信号送信方法
（項目２）
前記サウンディング参照信号が、同一のサブフレームで２以上のコンポーネント搬送波を用いて送信される場合、前記サウンディング参照信号のうち、送信周期が最も長いサウンディング参照信号のみを送信することをさらに含む、項目１に記載のサウンディング参照信号送信方法。
（項目３）
前記サウンディング参照信号が同一のサブフレームで２以上のコンポーネント搬送波を用いて送信される場合、前記サウンディング参照信号のうち、コンポーネント搬送波の帯域幅が最も大きいサウンディング参照信号のみを送信することをさらに含む、項目１に記載のサウンディング参照信号送信方法。
（項目４）
前記オフセット値は、前記複数のコンポーネント搬送波のそれぞれに対して異なる値に設定される、項目１に記載のサウンディング参照信号送信方法。
（項目５）
前記サウンディング参照信号は、送信周期が前記複数のコンポーネント搬送波のそれぞれに対して異なる値に設定される、項目４に記載のサウンディング参照信号送信方法。
（項目６）
前記サウンディング参照信号は、
帯域幅が前記複数のコンポーネント搬送波のそれぞれに対して異なる値に設定される、項目４に記載のサウンディング参照信号送信方法。
（項目７）
基地局からサウンディング参照信号送信パラメータを受信する受信モジュールと、
前記サウンディング参照信号送信パラメータから、前記サウンディング参照信号が割り当てられるサブフレームに対応する、複数のコンポーネント搬送波のそれぞれのオフセット値を確認するプロセッサと、
前記複数のコンポーネント搬送波のうちの任意のコンポーネント搬送波を用いて前記サウンディング参照信号を送信する場合、前記任意のコンポーネント搬送波のオフセット値に対応するサブフレームで、前記任意のコンポーネント搬送波を用いて前記サウンディング参照信号を前記基地局に送信する送信モジュールと、
を含む、無線通信システムにおける端末装置。
（項目８）
前記送信モジュールは、
前記サウンディング参照信号が同一のサブフレームで２以上のコンポーネント搬送波を用いて送信される場合、前記サウンディング参照信号のうち、送信周期が最も長いサウンディング参照信号のみを送信する、項目７に記載の無線通信システムにおける端末装置。
（項目９）
前記送信モジュールは、
前記サウンディング参照信号が同一のサブフレームで２以上のコンポーネント搬送波を用いて送信される場合、前記サウンディング参照信号のうち、コンポーネント搬送波の帯域幅が最も大きいサウンディング参照信号のみを送信する、項目７に記載の無線通信システムにおける端末装置。
（項目１０）
前記オフセット値は、前記複数のコンポーネント搬送波のそれぞれに対して異なる値に設定される、項目７に記載の無線通信システムにおける端末装置。
（項目１１）
前記サウンディング参照信号は、送信周期が前記複数のコンポーネント搬送波のそれぞれに対して異なる値に設定される、項目１０に記載の無線通信システムにおける端末装置。
（項目１２）
前記サウンディング参照信号は、帯域幅が前記複数のコンポーネント搬送波のそれぞれに対して異なる値に設定される、項目１０に記載の無線通信システムにおける端末装置。
【発明の効果】
【００１９】
本発明の実施例によれば、搬送波集約が適用された無線通信システムにおいて端末が効果的にサウンディング参照信号を送信することができる。
【００２０】
本発明で得られる効果は、以上に言及した効果に制限されず、言及していない他の効果は、下の記載から、本発明の属する技術の分野における通常の知識を有する者には明確に理解されるであろう。
【図面の簡単な説明】
【００２１】
【図１】移動通信システムの一例としてＥ−ＵＭＴＳネットワーク構造を概略的に示す図である。
【図２】３ＧＰＰ無線接続網規格に基づく端末とＥ−ＵＴＲＡＮとの間における無線インターフェースプロトコル（Ｒａｄｉｏ  Ｉｎｔｅｒｆａｃｅ  Ｐｒｏｔｏｃｏｌ）の制御プレーン（Ｃｏｎｔｒｏｌ  Ｐｌａｎｅ）及びユーザプレーン（Ｕｓｅｒ  Ｐｌａｎｅ）構造を示す図である。
【図３】３ＧＰＰシステムに用いられる物理チャネル及びこれらを用いた一般的な信号伝送方法を説明するための図である。
【図４】ＬＴＥシステムで用いられる無線フレームの構造を示す図である。
【図５】ＬＴＥシステムで用いられるアップリンクサブフレームの構造を示す図である。
【図６】ＬＴＥ−Ａシステムにおいてアップリンク伝送例を示す図である。
【図７】ＬＴＥ−Ａユーザが多数のコンポーネント搬送波を用いてサウンディング参照信号を伝送する例を示す図である。
【図８】各コンポーネント搬送波の帯域幅が一定である場合、本発明の第１実施例によるサウンディング参照信号のマッピング方法を示す例示図である。
【図９】各コンポーネント搬送波の帯域幅が一定でない場合、本発明の第１実施例によるサウンディング参照信号のマッピング方法を示す例示図である。
【図１０】各コンポーネント搬送波の帯域幅が一定である場合、本発明の第２実施例によるサウンディング参照信号のマッピング方法を示す例示図である。
【図１１】各コンポーネント搬送波の帯域幅が一定でない場合、本発明の第２実施例によるサウンディング参照信号のマッピング方法を示す例示図である。
【図１２】本発明の第２実施例において単一搬送波特性を満たすための第１方案を適用した例示図である。
【図１３】本発明の第２実施例において単一搬送波特性を満たすための第２方案を適用した例示図である。
【図１４】本発明の第２実施例において単一搬送波特性を満たすための第３方案を適用した例示図である。
【図１５】本発明の第２実施例において単一搬送波特性を満たすための第４方案を適用した例示図である。
【図１６】各コンポーネント搬送波の帯域幅が一定である場合、本発明の第３実施例によるサウンディング参照信号のマッピング方法を示す例示図である。
【図１７】各コンポーネント搬送波の帯域幅が一定でない場合、本発明の第３実施例によるサウンディング参照信号のマッピング方法を示す例示図である。
【図１８】本発明の実施例４に係るサウンディング参照信号のためのリソース割当方法を説明するための図である。
【図１９】本発明の実施例４に係るサウンディング参照信号のための他のリソース割当方法を説明するための図である。
【図２０】本発明の実施例４に係るサウンディング参照信号のためのさらに他のリソース割当方法を説明するための図である。
【図２１】本発明の実施例４に係るサウンディング参照信号のためのさらに他のリソース割当方法を説明するための図である。
【図２２】本発明の実施例４に係るサウンディング参照信号のためのさらに他のリソース割当方法を説明するための図である。
【図２３】本発明の実施例４に係るサウンディング参照信号のためのさらに他のリソース割当方法を説明するための図である。
【図２４】本発明の一実施例に係る通信送受信機のブロック構成図である。
【発明を実施するための形態】
【００２２】
以下に添付の図面を参照して説明される本発明の実施例から、本発明の構成、作用及び他の特徴が容易に理解できるであろう。以下に説明される実施例は、本発明の技術的特徴が３ＧＰＰシステムに適用された例とする。
【００２３】
以下、システム帯域が単一周波数ブロックを使用するシステムをレガシーシステム（ｌｅｇａｃｙ  ｓｙｓｔｅｍ）または狭帯域システム（ｎａｒｒｏｗｂａｎｄ  ｓｙｓｔｅｍ）と呼ぶ。これに対応して、システム帯域が複数の周波数ブロックを含み、少なくとも一つの周波数ブロックをレガシーシステムのシステムブロックとして使用するシステムを進化したシステム（ｅｖｏｌｖｅｄ  ｓｙｓｔｅｍ）または広帯域システム（ｗｉｄｅｂａｎｄ  ｓｙｓｔｅｍ）と呼ぶ。レガシーシステムブロックに用いられる周波数ブロックは、レガシーシステムのシステムブロックと同一の大きさを有する。これに対し、残りの周波数ブロックの大きさは特に制限されない。しかし、システムの単純化のために、前記残りの周波数ブロックの大きさも、レガシーシステムのシステムブロックの大きさに基づいて決定されてよい。一例として、３ＧＰＰ  ＬＴＥ（Ｒｅｌｅａｓｅ−８）システムと３ＧＰＰ  ＬＴＥ−Ａ（Ｒｅｌｅａｓｅ−９）システムとは、レガシーシステムと進化したシステムとの関係を有する。
【００２４】
上記の定義に基づき、本明細書において、３ＧＰＰ  ＬＴＥ（Ｒｅｌｅａｓｅ−８）システムをＬＴＥシステムまたはレガシーシステムと呼ぶ。また、ＬＴＥシステムを支援する端末を、ＬＴＥ端末またはレガシー端末と呼ぶ。これと対応して、３ＧＰＰ  ＬＴＥ−Ａ（Ｒｅｌｅａｓｅ−９）システムを、ＬＴＥ−Ａシステムまたは進化したシステムと呼ぶ。また、ＬＴＥ−Ａシステムを支援する端末を、ＬＴＥ−Ａ端末または進化した端末と呼ぶ。
【００２５】
便宜上、本明細書は、ＬＴＥシステム及びＬＴＥ−Ａシステムを用いて本発明の実施例を説明するが、これは一例に過ぎず、本発明の実施例は、上記の定義に該当するいかなる通信システムにも適用されてよい。また、本明細書は、ＦＤＤ方式を基準にして本発明の実施例について説明するが、これは例示的なもので、本発明の実施例は、Ｈ−ＦＤＤ方式またはＴＤＤ方式にも容易に変形して適用されてよい。
【００２６】
図２は、３ＧＰＰ無線接続網規格に基づく端末とＥ−ＵＴＲＡＮとの間における無線インターフェースプロトコル（Ｒａｄｉｏ  Ｉｎｔｅｒｆａｃｅ  Ｐｒｏｔｏｃｏｌ）の制御プレーン（Ｃｏｎｔｒｏｌ  Ｐｌａｎｅ）及びユーザプレーン（Ｕｓｅｒ  Ｐｌａｎｅ）構造を示す図である。制御プレーンは、端末（Ｕｓｅｒ  Ｅｑｕｉｐｍｅｎｔ；ＵＥ）とネットワークが呼を管理するために用いる制御メッセージが伝送される通路を意味する。ユーザプレーンは、アプリケーション層で生成されたデータ、例えば、音声データまたはインターネットパケットデータなどが伝送される通路を意味する。
【００２７】
第１層である物理層は、物理チャネル（Ｐｈｙｓｉｃａｌ  Ｃｈａｎｎｅｌ）を用いて上位層に情報伝送サービス（Ｉｎｆｏｒｍａｔｉｏｎ  Ｔｒａｎｓｆｅｒ  Ｓｅｒｖｉｃｅ）を提供する。物理層は、上位にある媒体接続制御（Ｍｅｄｉｕｍ  Ａｃｃｅｓｓ  Ｃｏｎｔｒｏｌ）層とは伝送チャネル（Ｔｒａｎｓｐｏｒｔ  Ｃｈａｎｎｅｌ）を通じて接続している。該伝送チャネルを通じて媒体接続制御層と物理層との間にデータが移動する。送信側の物理層と受信側の物理層との間には物理チャネルを通じてデータが移動する。該物理チャネルは時間及び周波数を無線リソースとする。特に、物理チャネルは、ダウンリンクにおいてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、アップリンクにおいてＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００２８】
第２層における媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を通じて上位層である無線リンク制御（Ｒａｄｉｏ  Ｌｉｎｋ  Ｃｏｎｔｒｏｌ；ＲＬＣ）層にサービスを提供する。第２層のＲＬＣ層は、信頼性あるデータ伝送を支援する。ＲＬＣ層の機能は、ＭＡＣ内部の機能ブロックにより具現してもよい。第２層におけるＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースにおいてＩＰｖ４やＩＰｖ６のようなＩＰパケットを效率的に伝送するために、不必要な制御情報を減らすヘッダー圧縮（Ｈｅａｄｅｒ  Ｃｏｍｐｒｅｓｓｉｏｎ）機能を行う。
【００２９】
第３層の最下部に位置している無線リソース制御（Ｒａｄｉｏ  Ｒｅｓｏｕｒｃｅ  Ｃｏｎｔｒｏｌ；ＲＲＣ）層は、制御プレーンでのみ定義される。ＲＲＣ層は、無線ベアラ（Ｒａｄｉｏ  Ｂｅａｒｅｒ；ＲＢ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）と関連して論理チャネル、伝送チャネル及び物理チャネルの制御を担当する。ＲＢとは、端末とネットワークとの間におけるデータ伝達のために第２層により提供されるサービスのことを意味する。このために、端末及びネットワークのＲＲＣ層は互いにＲＲＣメッセージを交換する。端末及びネットワークのＲＲＣ層の間にＲＲＣ接続（ＲＲＣ  Ｃｏｎｎｅｃｔｅｄ）がある場合、端末は、ＲＲＣ接続状態（Ｃｏｎｎｅｃｔｅｄ  Ｍｏｄｅ）にあり、そうでない場合、ＲＲＣ休止状態（Ｉｄｌｅ  Ｍｏｄｅ）にあるようになる。ＲＲＣ層の上位にあるＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を担当する。
【００３０】
基地局（ｅＮＢ）を構成する一つのセルは、１．２５、２．５、５、１０、１５、２０ＭＨｚなどの帯域幅のいずれか一つに設定され、複数の端末にアップリンクまたはダウンリンク伝送サービスを提供する。それぞれ異なるセルは互いに異なる帯域幅を提供するように設定されてよい。
【００３１】
ネットワークから端末にデータを伝送する下り伝送チャネルは、システム情報を伝送するＢＣＨ（Ｂｒｏａｄｃａｓｔ  Ｃｈａｎｎｅｌ）、ページングメッセージを伝送するＰＣＨ（Ｐａｇｉｎｇ  Ｃｈａｎｎｅｌ）、ユーザトラフィックや制御メッセージを伝送する下りＳＣＨ（Ｓｈａｒｅｄ  Ｃｈａｎｎｅｌ）などがある。下りマルチキャストまたは放送サービスのトラフィックまたは制御メッセージは、下りＳＣＨを通じて伝送されてもよく、または、別の下りＭＣＨ（Ｍｕｌｔｉｃａｓｔ  Ｃｈａｎｎｅｌ）を通じて伝送されてもよい。一方、端末からネットワークにデータを伝送する上り伝送チャネルには、初期制御メッセージを伝送するＲＡＣＨ（Ｒａｎｄｏｍ  Ａｃｃｅｓｓ  Ｃｈａｎｎｅｌ）、ユーザトラフィックや制御メッセージを伝送する上りＳＣＨ（Ｓｈａｒｅｄ  Ｃｈａｎｎｅｌ）がある。伝送チャネルの上位にあり、伝送チャネルにマッピングされる論理チャネル（Ｌｏｇｉｃａｌ  Ｃｈａｎｎｅｌ）には、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００３２】
図３は、３ＧＰＰシステムに用いられる物理チャネル及びこれらのチャネルを用いた一般的な信号伝送方法を説明するための図である。
【００３３】
端末は、電源がついたり、新しくセルに進入したりした場合、基地局と同期を合わせる等の初期セル探索（Ｉｎｉｔｉａｌ  ｃｅｌｌ  ｓｅａｒｃｈ）作業を行う（Ｓ３０１）。このために、端末は基地局からプライマリ同期チャネル（Ｐｒｉｍａｒｙ  Ｓｙｎｃｈｒｏｎｉｚａｔｉｏｎ  Ｃｈａｎｎｅｌ；Ｐ−ＳＣＨ）及びセカンダリ同期チャネル（Ｓｅｃｏｎｄａｒｙ  Ｓｙｎｃｈｒｏｎｉｚａｔｉｏｎ  Ｃｈａｎｎｅｌ；Ｓ−ＳＣＨ）を受信して基地局と同期を合わせ、セルＩＤなどの情報を獲得することができる。その後、端末は、基地局から物理放送チャネル（Ｐｈｙｓｉｃａｌ  Ｂｒｏａｄｃａｓｔ  Ｃｈａｎｎｅｌ）を受信して、セル内の放送情報を獲得することができる。一方、端末は、初期セル探索段階においてダウンリンク参照信号（Ｄｏｗｎｌｉｎｋ  Ｒｅｆｅｒｅｎｃｅ  Ｓｉｇｎａｌ；ＤＬＲＳ）を受信してダウンリンクチャネル状態を確認することができる。
【００３４】
初期セル探索を終えた端末は、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）及び該ＰＤＣＣＨに乗せられた情報に基づいて物理ダウンリンク共有チャネル（Ｐｈｙｓｉｃａｌ  Ｄｏｗｎｌｉｎｋ  Ｃｏｎｔｒｏｌ  Ｃｈａｎｎｅｌ；ＰＤＳＣＨ）を受信することによって、もう具体的なシステム情報を獲得することができる（Ｓ３０２）。
【００３５】
一方、基地局に最初に接続したり、信号伝送のための無線リソースがない場合、端末は、基地局に対してランダムアクセス手順（Ｒａｎｄｏｍ  Ａｃｃｅｓｓ  Ｐｒｏｃｅｄｕｒｅ；ＲＡＣＨ）を行うことができる（段階Ｓ３０３乃至段階Ｓ３０６）。このために、端末は、物理ランダムアクセスチャネル（Ｐｈｙｓｉｃａｌ  Ｒａｎｄｏｍ  Ａｃｃｅｓｓ  Ｃｈａｎｎｅｌ；ＰＲＡＣＨ）を通じて特定シーケンスをプリアンブルとして伝送し（Ｓ３０３及びＳ３０５）、ＰＤＣＣＨ及び対応するＰＤＳＣＨを通じてプリアンブルに対する応答メッセージを受信することができる（Ｓ３０４及びＳ３０６）。競合ベースＲＡＣＨの場合、衝突解決手順（Ｃｏｎｔｅｎｔｉｏｎ  Ｒｅｓｏｌｕｔｉｏｎ  Ｐｒｏｃｅｄｕｒｅ）をさらに行うことができる。
【００３６】
上述のような手順を行った端末は、以降、一般的なアップリンク／ダウンリンク信号伝送手順として、ＰＤＣＣＨ／ＰＤＳＣＨ受信（Ｓ３０７）及び物理アップリンク共有チャネル（Ｐｈｙｓｉｃａｌ  Ｕｐｌｉｎｋ  Ｓｈａｒｅｄ  Ｃｈａｎｎｅｌ；ＰＵＳＣＨ）／物理アップリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）伝送（Ｓ３０８）を行うことができる。端末がアップリンクを通じて基地局に伝送したりまたは端末が基地局から受信する制御情報は、ダウンリンク／アップリンクＡＣＫ／ＮＡＣＫ信号、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）、ＲＩ（Ｒａｎｋ  Ｉｎｄｉｃａｔｏｒ）などを含む。３ＧＰＰ  ＬＴＥシステムにおいて、端末は、上記のＣＱＩ／ＰＭＩ／ＲＩなどの制御情報をＰＵＳＣＨ及び／またはＰＵＣＣＨを通じて伝送することができる。
【００３７】
図４は、ＬＴＥシステムで使用される無線フレームの構造を例示する図である。
【００３８】
図４を参照すると、無線フレーム（ｒａｄｉｏ  ｆｒａｍｅ）は、１０ｍｓ（３２７２００・Ｔｓ）の長さを有し、１０個の均等な大きさのサブフレーム（ｓｕｂｆｒａｍｅ）で構成されている。それぞれのサブフレームは、１ｍｓの長さを有し、２個のスロット（ｓｌｏｔ）で構成されている。それぞれのスロットは、０．５ｍｓ（１５３６０・Ｔｓ）の長さを有する。ここで、Ｔｓは、サンプリング時間を表し、Ｔｓ＝１／（１５ｋＨｚ×２０４８）＝３．２５５２×１０−８（約３３ｎｓ）で表示される。スロットは、時間領域において複数のＯＦＤＭシンボルを含み、周波数領域において複数のリソースブロック（Ｒｅｓｏｕｒｃｅ  Ｂｌｏｃｋ；ＲＢ）を含む。ＬＴＥシステムにおいて、一つのリソースブロックは１２個の副搬送波×７（６）個のＯＦＤＭシンボルを含む。データが伝送される単位時間であるＴＴＩ（Ｔｒａｎｓｍｉｓｓｉｏｎ  Ｔｉｍｅ  Ｉｎｔｅｒｖａｌ）は、一つ以上のサブフレーム単位に定められてよい。上述した無線フレームの構造は例示に過ぎず、無線フレームに含まれるサブフレームの数、サブフレームに含まれるスロットの数、またはスロットに含まれるＯＦＤＭシンボルの数は様々に変更可能である。
【００３９】
図５は、ＬＴＥシステムで使用されるアップリンクサブフレームの構造を示す図である。
【００４０】
図５を参照すると、ＬＴＥアップリンク伝送の基本単位である１ｍｓ長のサブフレーム５００は、２つの０．５ｍｓスロット５０１で構成される。一般（Ｎｏｒｍａｌ）ＣＰ（Ｃｙｃｌｉｃ  Ｐｒｅｆｉｘ）の長さを仮定する時、各スロットは７個のシンボル５０２で構成され、一つのシンボルは一つのＳＣ−ＦＤＭＡシンボルに対応する。リソースブロック（Ｒｅｓｏｕｒｃｅ  Ｂｌｏｃｋ：ＲＢ）５０３は、周波数領域において１２個の副搬送波、そして時間領域で１スロットに該当するリソース割当単位である。ＬＴＥのアップリンクサブフレームの構造は、データ領域５０４と制御領域５０５とに大別される。ここで、データ領域は、各端末に伝送される音声、パケットなどのデータを送信するに当たって使用される一連の通信リソースを意味し、サブフレームにおいて制御領域を除外した残りのリソースに該当する。制御領域は、各端末からのダウンリンクチャネル品質報告、ダウンリンク信号に対する受信ＡＣＫ／ＮＡＣＫ、アップリンクスケジューリング要請などを送信するにあたって使用される一連の通信リソースを意味する。
【００４１】
図５に示すように、１サブフレーム内でサウンディング参照信号が伝送されうる時間は、一つのサブフレームにおける時間軸上で最後に位置するＳＣ−ＦＤＭＡシンボルがある区間であり、周波数上ではデータ伝送帯域を通じて伝送される。同一のサブフレームの最後のＳＣ−ＦＤＭＡで搬送される複数の端末のサウンディング参照信号は、周波数位置によって区別可能である。
【００４２】
また、サウンディング参照信号は、ＣＡＺＡＣ（Ｃｏｎｓｔａｎｔ  Ａｍｐｌｉｔｕｄｅ  Ｚｅｒｏ  Ａｕｔｏ  Ｃｏｒｒｅｌａｔｉｏｎ）シーケンスで構成され、複数のな端末から伝送されたサウンディング参照信号は、下記の数学式１による互いに異なる巡回シフト（ｃｙｃｌｉｃ  ｓｈｉｆｔ）値（α）を有するＣＡＺＡＣシーケンス
【００４３】
【化１】
0005228114.tif 000002
である。
【００４４】
【数１】
0005228114.tif 000003
ここで、
【００４５】
【化２】
0005228114.tif 000004
は、上位層によって各端末に設定される値であり、０〜７の整数値を有する。
【００４６】
一つのＣＡＺＡＣシーケンスから巡回シフトを通じて生成されたＣＡＺＡＣシーケンスはそれぞれ、自身と異なる巡回シフト値を有するシーケンスと零の相関値（ｚｅｒｏ−ｃｏｒｒｅｌａｔｉｏｎ）を有する特性がある。このような特性を用いて、同一の周波数領域のサウンディング参照信号はＣＡＺＡＣシーケンス巡回シフト値によって区別することができる。各端末のサウンディング参照信号は、基地局で設定するパラメータによって周波数上に割り当てられる。端末は、アップリンクデータ伝送帯域幅全体でサウンディング参照信号を伝送できるようにサウンディング参照信号の周波数跳躍を行う。
【００４７】
以下では、ＬＴＥシステムにおいてサウンディング参照信号を送信するための物理リソースをマッピングする具体的な方法について説明する。
【００４８】
サウンディング参照信号シーケンス
【００４９】
【化３】
0005228114.tif 000005
は、まず、送信電力
【００５０】
【化４】
0005228114.tif 000006
を満たすために振幅スケーリング因子
【００５１】
【化５】
0005228114.tif 000007
がかけられた後、インデックスが
【００５２】
【化６】
0005228114.tif 000008
であるリソース要素（Ｒｅｓｏｕｒｃｅ  Ｅｌｅｍｅｎｔ；ＲＥ）に、
【００５３】
【化７】
0005228114.tif 000009
から、下記の数学式２によってマッピングされる。
【００５４】
【数２】
0005228114.tif 000010
ここで、
【００５５】
【化８】
0005228114.tif 000011
は、サウンディング参照信号の周波数領域始点を表し、
【００５６】
【化９】
0005228114.tif 000012
は、下記の数学式３のように定義された副搬送波単位で表現されたサウンディング参照信号シーケンスの長さ、すなわち帯域幅である。
【００５７】
【数３】
0005228114.tif 000013
数学式３で、
【００５８】
【化１０】
0005228114.tif 000014
は、下記の表１乃至表４に示すように、アップリンク帯域幅
【００５９】
【化１１】
0005228114.tif 000015
によって基地局からシグナリングされる値である。
【００６０】
【化１２】
0005228114.tif 000016
を獲得するためには、０乃至７の整数値であるセル特定パラメータ
【００６１】
【化１３】
0005228114.tif 000017
及び０乃至３の整数値である端末特定パラメータ
【００６２】
【化１４】
0005228114.tif 000018
が必要である。このような
【００６３】
【化１５】
0005228114.tif 000019
の値は上位層により与えられる。
【００６４】
【表１】
0005228114.tif 000020
【００６５】
【表２】
0005228114.tif 000021
【００６６】
【表３】
0005228114.tif 000022
【００６７】
【表４】
0005228114.tif 000023
上述したように、アップリンクデータ伝送帯域幅全体でサウンディング参照信号を伝送できるように、端末は、サウンディング参照信号の周波数跳躍（ｆｒｅｑｕｅｎｃｙ  ｈｏｐｐｉｎｇ）を行うことができ、このような周波数跳躍は、上位層から与えられた０乃至３の値を有するパラメータ
【００６８】
【化１６】
0005228114.tif 000024
によって設定される。
【００６９】
サウンディング参照信号の周波数跳躍が非活性化された場合、すなわち、
【００７０】
【化１７】
0005228114.tif 000025
の場合、周波数位置インデックス
【００７１】
【化１８】
0005228114.tif 000026
は、下記の数学式４のように一定の値を有する。ここでは、
【００７２】
【化１９】
0005228114.tif 000027
上位層から与えられるパラメータとする。
【００７３】
【数４】
0005228114.tif 000028
一方、サウンディング参照信号の周波数跳躍が活性化された場合、すなわち、
【００７４】
【化２０】
0005228114.tif 000029
の場合、周波数位置インデックス
【００７５】
【化２１】
0005228114.tif 000030
は、下記の数学式５及び数学式６によって定義される。
【００７６】
【数５】
0005228114.tif 000031
【００７７】
【数６】
0005228114.tif 000032
ここで、
【００７８】
【化２２】
0005228114.tif 000033
は、サウンディング参照信号を送信した回数を計算するパラメータであり、下記の数学式７で示される。
【００７９】
【数７】
0005228114.tif 000034
数学式７で、
【００８０】
【化２３】
0005228114.tif 000035
はサウンディング参照信号の周期であり、
【００８１】
【化２４】
0005228114.tif 000036
はサウンディング参照信号のサブフレームオフセットを表す。また、
【００８２】
【化２５】
0005228114.tif 000037
はスロット番号、
【００８３】
【化２６】
0005228114.tif 000038
はフレーム番号を表す。
【００８４】
サウンディング参照信号の周期
【００８５】
【化２７】
0005228114.tif 000039
とサブフレームオフセット
【００８６】
【化２８】
0005228114.tif 000040
を設定するための端末特定サウンディング参照信号設定インデックス
【００８７】
【化２９】
0005228114.tif 000041
は、ＦＤＤとＴＤＤによってそれぞれ下記の表５及び表６のように表される。
【００８８】
【表５】
0005228114.tif 000042
【００８９】
【表６】
0005228114.tif 000043
図６は、ＬＴＥ−Ａシステムにおいてアップリンクシステムの伝送例を示す図である。
【００９０】
図６を参照すると、アップリンクシステム帯域６００は、最大２０ＭＨｚの帯域幅を有する複数（例、５個）のコンポーネント搬送波６０１に分けられ、各コンポーネント搬送波６０１は、図５のＬＴＥアップリンクサブフレーム構造と同様に、データ領域６０２及び制御領域６０３で構成される。すなわち、ＬＴＥ−Ａシステムにおいて既存ＬＴＥシステムユーザを受容可能にするために、各コンポーネント搬送波６０１のアップリンク伝送構造をＬＴＥと同一に設定する。
【００９１】
参考として、図６の例示では、図５の構造と完全に同一になるように制御領域６０３を各コンポーネント搬送波６０１の両端に設定したが、制御領域６０３を全体システム帯域６００の両端に設定することもできる。また、コンポーネント搬送波６０１間の干渉を減らすために、保護バンド６０４が設定される。ＬＴＥ−Ａシステムのアップリンクにおいてサウンディング参照信号の伝送が可能なサウンディング参照信号伝送領域６０５は、ＬＴＥシステムと互換性を維持するために、図５と同様、時間上でサブフレーム中の最後のシンボル区間、周波数上でデータ領域６０２を使用する。
【００９２】
図７は、ＬＴＥ−Ａユーザが多数のコンポーネント搬送波を用いてサウンディング参照信号を伝送する例を示す図である。
【００９３】
図７を参照すると、アップリンクシステム帯域７００とコンポーネント搬送波７０１の帯域をそれぞれ、１００ＭＨｚと２０ＭＨｚとする。図７の例のとおり、ＬＴＥ−Ａ端末は、サウンディング参照信号伝送時点（図７の１ｓｔ  ＳＲＳ  ｔｒａｎｓｍｉｓｓｉｏｎと２ｎｄ  ＳＲＳ  ｔｒａｎｓｍｉｓｓｉｏｎ）ごとに周波数跳躍（ｆｒｅｑｕｅｎｃｙ  ｈｏｐｐｉｎｇ）を行い、各コンポーネント搬送波７０１内のデータ領域７０２の最後のシンボルでサウンディング参照信号７０６を伝送する。
【００９４】
このようにＬＴＥ−Ａ端末がサウンディング参照信号７０６を送信する場合、基地局がいかなる情報をシグナリングすべきかについて定められていない。また、各コンポーネント搬送波７０１別に既存ＬＴＥ方式でサウンディング参照信号７０６を伝送する場合、該当のＬＴＥ−Ａ端末はサウンディング参照信号を多重搬送波方式で伝送することになり、ＰＡＰＲ（Ｐｅａｋ  ｔｏ  Ａｖｅｒａｇｅ  Ｐｏｗｅｒ  Ｒａｔｉｏ）やＣＭ（Ｃｕｂｉｃ  Ｍｅｔｒｉｃ）が増加するという不具合がある。
【００９５】
全てのコンポーネント搬送波７０１に対して一挙にサウンディング参照信号を伝送するとすれば、基地局がセルのエッジ付近に位置しているＬＴＥ−Ａ端末から受信したサウンディング参照信号の周波数上電力密度は非常に低くなり、よって、該当のサウンディング参照信号から基地局が取得するアップリンクチャネル状態情報の信頼度も低くなるため、基地局のアップリンク制御が円滑になり難いという問題が生じる。
【００９６】
本発明は、このような問題点を解決すべく、端末が多数のコンポーネント搬送波を用いて同時にサウンディング参照信号を伝送しないように、基地局がサウンディング参照信号の周期、サウンディング参照信号の帯域幅及びコンポーネント搬送波同士間のサウンディング参照信号伝送時点に対するサブフレームオフセットを設定してシグナリングする。説明の便宜のために、以下の実施例では２個のコンポーネント搬送波のみを図示し、各コンポーネント搬送波の帯域幅が４０ＲＢ〜６０ＲＢの値を取るとする。
【００９７】
実施例１
実施例１は、全てのコンポーネント搬送波においてサウンディング参照信号の帯域幅と周期が同一であり、サブフレームオフセットがコンポーネント搬送波別に設定される方法である。
【００９８】
結果として、全てのコンポーネント搬送波には共通のサウンディング参照信号の帯域幅と周期が適用され、各コンポーネント搬送波ごとに個別にサブフレームオフセットが適用される。この場合、全ての
【００９９】
【化２９−１】
0005228114.tif 000044
のコンポーネント搬送波の帯域幅が同一である他、各コンポーネント搬送波に対応するサウンディング参照信号の帯域幅も同一であるため、アップリンク全帯域にわたってサウンディング参照信号の時間対周波数密度（ｔｉｍｅ−ｆｒｅｑｕｅｎｃｙ  ｄｅｎｓｉｔｙ）は一定である。
【０１００】
一方、端末の送信電力に制限がない場合では、各コンポーネント搬送波に同一のオフセット値を設定してもかまわないが、もし端末の送信電力に制限があるとすれば、アップリンクにおける単一搬送波特性（ｓｉｎｇｌｅ  ｃａｒｒｉｅｒ  ｐｒｏｐｅｒｔｙ）を満たすために、互いに異なるオフセット値に設定することが望ましい。
【０１０１】
図８は、各コンポーネント搬送波の帯域幅が同一の場合、本発明の第１実施例によるサウンディング参照信号のマッピング方法を示す例示図である。
【０１０２】
各コンポーネント搬送波の帯域幅が同一である場合、本発明の第１実施例において、基地局は、サウンディング参照信号の帯域幅を設定するための一つのパラメータ組み合わせ
【０１０３】
【化３０】
0005228114.tif 000045
と一つのサウンディング参照信号周期
【０１０４】
【化３１】
0005228114.tif 000046
を設定し、
【０１０５】
【化３２】
0005228114.tif 000047
のコンポーネント搬送波のそれぞれに
【０１０６】
【化３３】
0005228114.tif 000048
のサブフレームオフセットを設定する。
【０１０７】
図８を参照すると、基地局は端末に各コンポーネント搬送波に共通に適用されるサウンディング参照信号帯域幅パラメータ組み合わせとして
【０１０８】
【化３４】
0005228114.tif 000049
をシグナリングし、一つのサウンディング参照信号の周期として
【０１０９】
【化３５】
0005228114.tif 000050
をシグナリングする。また、第１コンポーネント搬送波にはサブフレームオフセットとして
【０１１０】
【化３６】
0005228114.tif 000051
を、第２コンポーネント搬送波にはサブフレームオフセットとして
【０１１１】
【化３７】
0005228114.tif 000052
を別々にシグナリングする。
【０１１２】
したがって、端末は、第１コンポーネント搬送波を用いて基地局に２ｍｓ周期のサウンディング参照信号を送信し、サウンディング参照信号の帯域幅
【０１１３】
【化３８】
0005228114.tif 000053
を、上記の表２で
【０１１４】
【化３９】
0005228114.tif 000054
に対応する８の値を有するように設定する。この場合、サウンディング参照信号は
【０１１５】
【化４０】
0005228114.tif 000055
を用いて、数学式５乃至数学式７によって第１コンポーネント搬送波内で周波数跳躍を行う。したがって、サウンディング参照信号は、第１コンポーネント搬送波の全帯域にわたって基地局にチャネル状態に関する情報を提供する。
【０１１６】
同様に、端末は、第２コンポーネント搬送波を用いて基地局に２ｍｓ周期のサウンディング参照信号を送信し、サウンディング参照信号の帯域幅
【０１１７】
【化４１】
0005228114.tif 000056
を、上記の表２で
【０１１８】
【化４２】
0005228114.tif 000057
に対応する８の値を有するように設定する。この場合、サウンディング参照信号は
【０１１９】
【化４３】
0005228114.tif 000058
を用いて数学式５乃至数学式７によって第１コンポーネント搬送波内で周波数跳躍を行う。ただし、第２コンポーネント搬送波を利用するサウンディング参照信号は、サブフレームオフセット値として割り当てられた１ｍｓだけ遅延されたサブフレームから始まる。
【０１２０】
図９は、各コンポーネント搬送波の帯域幅が一定でない場合に、本発明の第１実施例によるサウンディング参照信号のマッピング方法を示す例示図である。
【０１２１】
各コンポーネント搬送波の帯域幅が一定でない場合、本発明の第１実施例では、基地局は端末に、一つのコンポーネント搬送波にはサウンディング参照信号帯域幅を設定するためのパラメータ組み合わせ
【０１２２】
【化４４】
0005228114.tif 000059
を割り当て、残り
【０１２３】
【化４５】
0005228114.tif 000060
のコンポーネント搬送波のそれぞれには
【０１２４】
【化４６】
0005228114.tif 000061
を割り当てる。サウンディング参照信号の帯域幅が
【０１２５】
【化４７】
0005228114.tif 000062
のコンポーネント搬送波のいずれにおいても同一であるため、一つのコンポーネント搬送波に
【０１２６】
【化４８】
0005228114.tif 000063
を割り当てることによって、残り
【０１２７】
【化４９】
0005228114.tif 000064
のコンポーネント搬送波は
【０１２８】
【化５０】
0005228114.tif 000065
だけによって
【０１２９】
【化５１】
0005228114.tif 000066
が自動的に決定されることができる。また、基地局は、一つのサウンディング参照信号周期
【０１３０】
【化５２】
0005228114.tif 000067
を設定し、
【０１３１】
【化５３】
0005228114.tif 000068
のコンポーネント搬送波のそれぞれに
【０１３２】
【化５４】
0005228114.tif 000069
のサブフレームオフセットを割り当てる。
【０１３３】
図９を参照すると、基地局は、第１コンポーネント搬送波にサウンディング参照信号帯域幅を設定するためのパラメータ組み合わせとして
【０１３４】
【化５５】
0005228114.tif 000070
を割り当てると、第１コンポーネント搬送波で送られるサウンディング参照信号帯域幅の帯域幅
【０１３５】
【化５６】
0005228114.tif 000071
は、８の値を有する。この場合、第２コンポーネント搬送波で送信されるサウンディング参照信号帯域幅の帯域幅は、第２コンポーネント搬送波で送られるサウンディング参照信号帯域幅の帯域幅と同一であるため、第２コンポーネント搬送波に
【０１３６】
【化５７】
0005228114.tif 000072
を割り当てると、第２コンポーネント搬送波に対応する
【０１３７】
【化５８】
0005228114.tif 000073
は２に自動的に設定される。また、基地局は、各コンポーネント搬送波に共通に適用されるサウンディング参照信号の周期として
【０１３８】
【化５９】
0005228114.tif 000074
をシグナリングし、第１コンポーネント搬送波にはサブフレームオフセットとして
【０１３９】
【化６０】
0005228114.tif 000075
を、第２コンポーネント搬送波にはサブフレームオフセットとして
【０１４０】
【化６１】
0005228114.tif 000076
をシグナリングする。
【０１４１】
したがって、端末は、第１コンポーネント搬送波を用いて基地局に２ｍｓ周期のサウンディング参照信号を送信し、サウンディング参照信号の帯域幅
【０１４２】
【化６２】
0005228114.tif 000077
を、上記の表２で
【０１４３】
【化６３】
0005228114.tif 000078
に対応する８の値を有するように設定する。この場合、サウンディング参照信号は、
【０１４４】
【化６４】
0005228114.tif 000079
を用いて数学式５乃至数学式７によって第１コンポーネント搬送波内で周波数跳躍を行う。したがって、第１コンポーネント搬送波の全帯域にわたって基地局にチャネル状態に関する情報を提供する。
【０１４５】
同様に、端末は、第２コンポーネント搬送波を用いて基地局に２ｍｓ周期のサウンディング参照信号を送信し、サウンディング参照信号の帯域幅
【０１４６】
【化６５】
0005228114.tif 000080
を、上記の表２で
【０１４７】
【化６６】
0005228114.tif 000081
に対応する８の値を有するように設定する。表２で
【０１４８】
【化６７】
0005228114.tif 000082
の場合における
【０１４９】
【化６７−１】
0005228114.tif 000083
も２であるから、これを用いてサウンディング参照信号は数学式５乃至数学式７によって第２コンポーネント搬送波内で周波数跳躍を行う。ただし、第２コンポーネント搬送波を利用するサウンディング参照信号は、サブフレームオフセット値として割り当てられた１ｍｓ遅延されたサブフレームから始まる。
【０１５０】
実施例２
実施例２は、全てのコンポーネント搬送波においてサウンディング参照信号の帯域幅は同一であるが、各コンポーネント搬送波別にサウンディング参照信号の周期とサブフレームオフセットを独立して設定する方法である。
【０１５１】
図１０は、各コンポーネント搬送波の帯域幅が同一である場合、本発明の第２実施例によるサウンディング参照信号のマッピング方法を示す例示図である。
【０１５２】
本発明の第２実施例において、基地局は、端末にサウンディング参照信号の帯域幅を設定する一つのパラメータ組み合わせ
【０１５３】
【化６８】
0005228114.tif 000084
を割り当て、
【０１５４】
【化６９】
0005228114.tif 000085
のコンポーネント搬送波のそれぞれに
【０１５５】
【化７０】
0005228114.tif 000086
のサウンディング参照信号周期
【０１５６】
【化７１】
0005228114.tif 000087
のサブフレームオフセットを割り当てる。この場合、全ての
【０１５７】
【化７２】
0005228114.tif 000088
コンポーネント搬送波の帯域幅が同一であるが、各コンポーネント搬送波に対応するサウンディング参照信号の周期が独立して設定されるから、アップリンク全帯域にわたってサウンディング参照信号の時間対周波数密度（ｔｉｍｅ−ｆｒｅｑｕｅｎｃｙ  ｄｅｎｓｉｔｙ）は一定でないことがある。
【０１５８】
図１０を参照すると、基地局は、端末に各コンポーネント搬送波に共通して適用されるサウンディング参照信号帯域幅パラメータ組み合わせとして
【０１５９】
【化７３】
0005228114.tif 000089
をシグナリングする。また、第１コンポーネント搬送波には
【０１６０】
【化７４】
0005228114.tif 000090
を、第２コンポーネント搬送波には
【０１６１】
【化７５】
0005228114.tif 000091
をシグナリングする。
【０１６２】
したがって、端末は、第１コンポーネント搬送波を用いて基地局に１０ｍｓ周期のサウンディング参照信号を送信し、サウンディング参照信号の帯域幅
【０１６３】
【化７６】
0005228114.tif 000092
を、上記の表２で
【０１６４】
【化７７】
0005228114.tif 000093
に対応する８の値を有するように設定する。この場合、サウンディング参照信号は、
【０１６５】
【化７８】
0005228114.tif 000094
を用いて、数学式５乃至数学式７によって第１コンポーネント搬送波内で周波数跳躍を行う。したがって、サウンディング参照信号は、第１コンポーネント搬送波の全帯域にわたって基地局にチャネル状態に関する情報を提供する。
【０１６６】
同様に、端末は、第２コンポーネント搬送波を用いて基地局に２０ｍｓ周期のサウンディング参照信号を送信し、サウンディング参照信号の帯域幅
【０１６７】
【化７９】
0005228114.tif 000095
を、上記の表２で
【０１６８】
【化８０】
0005228114.tif 000096
に対応する８の値を有するように設定する。この場合、サウンディング参照信号は、
【０１６９】
【化８１】
0005228114.tif 000097
を用いて、数学式５乃至数学式７によって第１コンポーネント搬送波内で周波数跳躍を行う。ただし、第２コンポーネント搬送波を利用するサウンディング参照信号は、サブフレームオフセット値として割り当てられた５ｍｓ遅延されたサブフレームから始まる。
【０１７０】
図１１は、各コンポーネント搬送波の帯域幅が一定でない場合、本発明の第２実施例によるサウンディング参照信号のマッピング方法を示す例示図である。
【０１７１】
各コンポーネント搬送波の帯域幅が一定でない場合、本発明の第２実施例では、基地局は端末に、一つのコンポーネント搬送波にはサウンディング参照信号帯域幅パラメータ組み合わせである
【０１７２】
【化８２】
0005228114.tif 000098
を割り当て、残り
【０１７３】
【化８３】
0005228114.tif 000099
のコンポーネント搬送波のそれぞれに
【０１７４】
【化８４】
0005228114.tif 000100
を割り当てる。図１２で説明したとおり、サウンディング参照信号の帯域幅が
【０１７５】
【化８５】
0005228114.tif 000101
のコンポーネント搬送波のいずれにおいても同一であるから、一つのコンポーネント搬送波に
【０１７６】
【化８６】
0005228114.tif 000102
を割り当てることで、残り
【０１７７】
【化８７】
0005228114.tif 000103
のコンポーネント搬送波に対しては、
【０１７８】
【化８８】
0005228114.tif 000104
が自動的に決定されることができる。また、基地局は
【０１７９】
【化８９】
0005228114.tif 000105
のコンポーネント搬送波のそれぞれに
【０１８０】
【化９０】
0005228114.tif 000106
のサウンディング参照信号周期
【０１８１】
【化９１】
0005228114.tif 000107
のサブフレームオフセットを割り当てる。
【０１８２】
図１１を参照すると、基地局は、第１コンポーネント搬送波にサウンディング参照信号帯域幅パラメータ組み合わせとして
【０１８３】
【化９２】
0005228114.tif 000108
を割り当てると、第１コンポーネント搬送波で送られるサウンディング参照信号帯域幅の帯域幅
【０１８４】
【化９３】
0005228114.tif 000109
は、８の値を有する。第２実施例も同様、第２コンポーネント搬送波で送られるサウンディング参照信号帯域幅の帯域幅は、第２コンポーネント搬送波で送られるサウンディング参照信号帯域幅の帯域幅と同一であるから、第２コンポーネント搬送波に
【０１８５】
【化９４】
0005228114.tif 000110
を割り当てると、第２コンポーネント搬送波に対応する
【０１８６】
【化９５】
0005228114.tif 000111
は２に自動的に設定される。また、基地局は、第１コンポーネント搬送波には
【０１８７】
【化９６】
0005228114.tif 000112
を、第２コンポーネント搬送波には
【０１８８】
【化９７】
0005228114.tif 000113
をシグナリングする。
【０１８９】
したがって、端末は、第１コンポーネント搬送波を用いて基地局に２０ｍｓ周期のサウンディング参照信号を送信し、サウンディング参照信号の帯域幅
【０１９０】
【化９８】
0005228114.tif 000114
を、上記の表２で
【０１９１】
【化９９】
0005228114.tif 000115
に対応する８の値を有するように設定する。この場合、サウンディング参照信号は、
【０１９２】
【化１００】
0005228114.tif 000116
を用いて、数学式５乃至数学式７によって第１コンポーネント搬送波内で周波数跳躍を行う。したがって、第１コンポーネント搬送波の全帯域にわたって基地局にチャネル状態に関する情報を提供する。
【０１９３】
同様に、端末は、第２コンポーネント搬送波を用いて基地局に１０ｍｓ周期のサウンディング参照信号を送信し、サウンディング参照信号の帯域幅
【０１９４】
【化１０１】
0005228114.tif 000117
を、上記の表２で
【０１９５】
【化１０２】
0005228114.tif 000118
に対応する８の値を有するように設定する。表２において、
【０１９６】
【化１０３】
0005228114.tif 000119
の場合における
【０１９７】
【化１０３−１】
0005228114.tif 000120
も２であるから、これを用いてサウンディング参照信号は数学式５乃至数学式７によって第２コンポーネント搬送波内で周波数跳躍を行う。ただし、第２コンポーネント搬送波を利用するサウンディング参照信号は、サブフレームオフセット値として割り当てられた５ｍｓ遅延されたサブフレームから始まる。
【０１９８】
一方、本発明の第２実施例では、端末の送信電力に制限がない場合では、各コンポーネント搬送波別にサブフレームオフセット値とサウンディング参照信号の周期設定を特別な制約無しで行うことができる。しかし、端末の送信電力に制限があると、アップリンクにおける単一搬送波特性（ｓｉｎｇｌｅ  ｃａｒｒｉｅｒ  ｐｒｏｐｅｒｔｙ）は維持されないことがある。これは、サブフレームオフセット値を各コンポーネント搬送波ごとに別々に設定しても、サウンディング参照信号の周期が独立しているから、同一のサブフレームで複数のコンポーネント搬送波を用いて複数のサウンディング参照信号が送信されることがあるからである。
【０１９９】
このような問題点を解決するために、本実施例では、第１方案として、周期が最も長いサウンディング参照信号のみを送信し、残りのサウンディング参照信号の送信は省略する方案を提示する。
【０２００】
また、第２方案として、周期が最も長いサウンディング参照信号のみを送信し、残りのサウンディング参照信号は遅延させて送信する方案を提示する。特に、第２方案では、各コンポーネント搬送波別にどれだけのサブフレームのサウンディング参照信号を遅延させるかに関するパラメータ
【０２０１】
【化１０４】
0005228114.tif 000121
をシグナリングすることが望ましい。
【０２０２】
図１２は、本発明の第２実施例において単一搬送波特性を満たすための第１方案を適用した例示図である。
【０２０３】
第１コンポーネント搬送波で送信されるサウンディング参照信号１２０１，１２０３は、第２コンポーネント搬送波で送信されるサウンディング参照信号１２０２，１２０４と同一のサブフレームで送信されるから、単一搬送波特性を満たすことができない。  この場合、第１方案では、周期の長い第２コンポーネント搬送波を介して送信されるサウンディング参照信号１２０２，１２０４を送信し、第１コンポーネント搬送波を介して送信されるサウンディング参照信号１２０１，１２０３の送信は省略する。
【０２０４】
図１３は、本発明の第２実施例において単一搬送波特性を満たすための第２方案を適用した例示図である。
【０２０５】
第２コンポーネント搬送波を介して送信されるサウンディング参照信号１３０１，１３０４は、第２コンポーネント搬送波を介して送信されるサウンディング参照信号１３０２，１３０５と同じサブフレームで送信される。この場合、第２方案では、周期の長い第２コンポーネント搬送波を介して送信されるサウンディング参照信号１３０２，１３０５は、元来送信されるべきサブフレームで送信し、第１コンポーネント搬送波を介して送信されるサウンディング参照信号１３０１，１３０４は遅延させて送信する。本例示図では、基地局がパラメータ
【０２０６】
【化１０５】
0005228114.tif 000122
を１ｍｓとしてシグナリングしたとし、参照番号１３０３及び１３０６のように、１ｍｓ遅延されたサブフレームでサウンディング参照信号を送信する。
【０２０７】
一方、図１２及び図１３は、各コンポーネント搬送波の帯域幅が同じ場合であり、各コンポーネント搬送波の帯域幅が互いに異なる場合には、次のような方案をさらな考慮することができる。
【０２０８】
本実施例では、各コンポーネント搬送波の帯域幅が互いに異なる場合に適用される第３方案として、帯域幅が最も大きいコンポーネント搬送波に対応するサウンディング参照信号のみを送信し、残りのサウンディング参照信号の送信は省略する方案を提案する。
【０２０９】
また、第４方案として、帯域幅がもっとも大きいコンポーネント搬送波に対応するサウンディング参照信号のみを送信し、残りのサウンディング参照信号は遅延させて送信する方案を提示する。特に、第４方案では、各コンポーネント搬送波別にどれだけのサブフレームのサウンディング参照信号を遅延させるかに関するパラメータ
【０２１０】
【化１０６】
0005228114.tif 000123
をシグナリングすることが望ましい。
【０２１１】
図１４は、本発明の第２実施例において単一搬送波特性を満たすための第３方案を適用した例示図である。
【０２１２】
第１コンポーネント搬送波を介して送信されるサウンディング参照信号１４０１，１４０３は、第２コンポーネント搬送波を介して送信されるサウンディング参照信号１４０２，１４０４と同じサブフレームで送信されるから、より大きい帯域幅を有する第２コンポーネント搬送波を介して送信されるサウンディング参照信号１４０２，１４０４を送信し、第１コンポーネント搬送波を介して送信されるサウンディング参照信号１４０１，１４０３の送信は省略する。
【０２１３】
図１５は、本発明の第２実施例において単一搬送波特性を満たすための第４方案を適用した例示図である。
【０２１４】
第４方案では、より大きい帯域幅を有する第２コンポーネント搬送波を介して送信されるサウンディング参照信号１５０２，１５０５は、元来送信されるべきサブフレームで送信し、第１コンポーネント搬送波を介して送信されるサウンディング参照信号１５０１，１５０４は、参照番号１５０３及び１５０６のように、遅延させて送信する。図１５の例示図においても、基地局がパラメータ
【０２１５】
【化１０７】
0005228114.tif 000124
を１ｍｓとしてシグナリングしたとする。
【０２１６】
実施例３
実施例３は、全てのコンポーネント搬送波においてサウンディング参照信号の周期が同一であり、コンポーネント搬送波別にサウンディング参照信号の帯域幅とサブフレームオフセットをそれぞれ設定する方法である。
【０２１７】
上述したとおり、端末の送信電力に制限がない場合では、各コンポーネント搬送波に同一のオフセット値を設定してもよいが、もし端末の送信電力に制限があると、アップリンクにおける単一搬送波特性（ｓｉｎｇｌｅ  ｃａｒｒｉｅｒ  ｐｒｏｐｅｒｔｙ）を満たすために、互いに異なるオフセット値に設定することが望ましい。
【０２１８】
図１６は、各コンポーネント搬送波の帯域幅が同一である場合、本発明の第３実施例によるサウンディング参照信号のマッピング方法を示す例示図である。
【０２１９】
各コンポーネント搬送波の帯域幅が同一であるが、各コンポーネント搬送波に対応するサウンディング参照信号の帯域幅は互いに独立している場合であるから、基地局は端末に、サウンディング参照信号の帯域幅を設定するパラメータとして一つの共通の
【０２２０】
【化１０８】
0005228114.tif 000125
とコンポーネント搬送波のそれぞれに対する
【０２２１】
【化１０９】
0005228114.tif 000126
をシグナリングする。また、一つのサウンディング参照信号周期
【０２２２】
【化１１０】
0005228114.tif 000127
を設定し、
【０２２３】
【化１１１】
0005228114.tif 000128
のコンポーネント搬送波のそれぞれに
【０２２４】
【化１１２】
0005228114.tif 000129
のサブフレームオフセットを割り当てる。この場合、全ての
【０２２５】
【化１１３】
0005228114.tif 000130
のコンポーネント搬送波の帯域幅が同一であるが、各コンポーネント搬送波に対応するサウンディング参照信号の帯域幅は独立して設定されるため、アップリンク全帯域にわたってサウンディング参照信号の時間対周波数密度（ｔｉｍｅ−ｆｒｅｑｕｅｎｃｙ  ｄｅｎｓｉｔｙ）は一定でないことがある。
【０２２６】
図１６を参照すると、基地局は端末に、サウンディング参照信号の帯域幅を設定するパラメータとして一つの
【０２２７】
【化１１４】
0005228114.tif 000131
を４に設定し、第１コンポーネント搬送波には
【０２２８】
【化１１５】
0005228114.tif 000132
を、第２コンポーネント搬送波には
【０２２９】
【化１１６】
0005228114.tif 000133
をそれぞれシグナリングする。また、一つのサウンディング参照信号の周期として
【０２３０】
【化１１７】
0005228114.tif 000134
をシグナリングし、第１コンポーネント搬送波にはサブフレームオフセットとして
【０２３１】
【化１１８】
0005228114.tif 000135
を、第２コンポーネント搬送波にはサブフレームオフセットとして
【０２３２】
【化１１９】
0005228114.tif 000136
をシグナリングする。
【０２３３】
したがって、端末は、第１コンポーネント搬送波を用いて基地局に２ｍｓ周期のサウンディング参照信号を送信し、サウンディング参照信号の帯域幅
【０２３４】
【化１２０】
0005228114.tif 000137
を、上記の表２で
【０２３５】
【化１２１】
0005228114.tif 000138
に対応する８の値を有するように設定する。この場合、サウンディング参照信号は
【０２３６】
【化１２２】
0005228114.tif 000139
を用いて数学式５乃至数学式７によって第１コンポーネント搬送波内で周波数跳躍を行う。
【０２３７】
一方、端末は、第２コンポーネント搬送波を用いて基地局に２ｍｓ周期のサウンディング参照信号を送信するが、サウンディング参照信号の帯域幅
【０２３８】
【化１２３】
0005228114.tif 000140
を、上記の表２で
【０２３９】
【化１２４】
0005228114.tif 000141
に対応する１６の値を有するように設定する。この場合、サウンディング参照信号は、数学式５乃至数学式７によって第２コンポーネント搬送波内で周波数跳躍を行う。ただし、第２コンポーネント搬送波を利用するサウンディング参照信号は、第１コンポーネント搬送波とは違い、サブフレームオフセット値として割り当てられた１ｍｓ遅延されたサブフレームから始まる。
【０２４０】
図１７は、各コンポーネント搬送波の帯域幅が一定でない場合、本発明の第３実施例によるサウンディング参照信号のマッピング方法を示す例示図である。
【０２４１】
各コンポーネント搬送波の帯域幅が一定でないだけでなく、各コンポーネント搬送波に対応するサウンディング参照信号の帯域幅も互いに独立している場合であるから、基地局は端末に、サウンディング参照信号の帯域幅を設定するパラメータとして、
【０２４２】
【化１２５】
0005228114.tif 000142
のコンポーネント搬送波に対してそれぞれのパラメータ組み合わせ
【０２４３】
【化１２６】
0005228114.tif 000143
をシグナリングする。また、一つのサウンディング参照信号周期
【０２４４】
【化１２７】
0005228114.tif 000144
を設定し、
【０２４５】
【化１２８】
0005228114.tif 000145
のコンポーネント搬送波のそれぞれに
【０２４６】
【化１２９】
0005228114.tif 000146
のサブフレームオフセットを割り当てる。
【０２４７】
図１７を参照すると、基地局は端末に、サウンディング参照信号の帯域幅を設定するパラメータ組み合わせとして、第１コンポーネント搬送波には
【０２４８】
【化１３０】
0005228114.tif 000147
を、第２コンポーネント搬送波には
【０２４９】
【化１３１】
0005228114.tif 000148
をそれぞれシグナリングする。また、一つのサウンディング参照信号の周期として
【０２５０】
【化１３２】
0005228114.tif 000149
をシグナリングし、第１コンポーネント搬送波と第２コンポーネント搬送波のそれぞれにサブフレームオフセット
【０２５１】
【化１３３】
0005228114.tif 000150
としてそれぞれ０ｍｓと１ｍｓをシグナリングする。
【０２５２】
したがって、端末は、第１コンポーネント搬送波を用いて基地局に２ｍｓ周期のサウンディング参照信号を送信し、サウンディング参照信号の帯域幅
【０２５３】
【化１３４】
0005228114.tif 000151
を、上記の表２で
【０２５４】
【化１３５】
0005228114.tif 000152
に対応する８の値を有するように設定する。
【０２５５】
同様に、端末は第２コンポーネント搬送波を用いて基地局に２ｍｓ周期のサウンディング参照信号を送信し、サウンディング参照信号の帯域幅
【０２５６】
【化１３６】
0005228114.tif 000153
を、上記の表２で
【０２５７】
【化１３７】
0005228114.tif 000154
に対応する１６の値を有するように設定する。ただし、第２コンポーネント搬送波を利用するサウンディング参照信号は、第１コンポーネント搬送波とは違い、サブフレームオフセット値として割り当てられた１ｍｓ遅延されたサブフレームから始まる。
【０２５８】
実施例４
実施例１乃至実施例３では、サウンディング参照信号の効果的な伝送のために、各コンポーネント搬送波に共通してまたは独立してパラメータをシグナリングする方法を提案した。実施例４では、サウンディング参照信号を送信するに当たって多数のコンポーネント搬送波を束ね、それを拡張された一つの広帯域搬送波として考慮する。
【０２５９】
このために、上述した表１乃至表４を拡張する３とおりの方案を提示する。
【０２６０】
（１）第一の方案は、それぞれのコンポーネント搬送波の帯域幅が束ねられた一つの帯域幅のためのサウンディング参照信号パラメータセットをさらに設定するものである。ここで、サウンディング参照信号の最大帯域幅は、搬送波集約された全体アップリンク帯域幅と同一である。
【０２６１】
図１８は、本発明の実施例４に係るサウンディング参照信号のためのリソース割当方法を説明するための図である。特に、図１８は、説明の便宜のために、表４で、
【０２６２】
【化１３８】
0005228114.tif 000155
が１であり、コンポーネント搬送波の個数
【０２６３】
【化１３９】
0005228114.tif 000156
が２である場合のみを示す。また、一つのコンポーネント搬送波は
【０２６４】
【化１４０】
0005228114.tif 000157
のリソースブロック（Ｒｅｓｏｕｒｃｅ  Ｂｌｏｃｋ、ＲＢ）で構成されるとする。
【０２６５】
図１８を参照すると、まず、段階１で、既存のサウンディング参照信号の帯域幅を決定するパラメータのうち、
【０２６６】
【化１４１】
0005228114.tif 000158
を一段階増加させる。すなわち、
【０２６７】
【化１４２】
0005228114.tif 000159
である最後の列は削除する。その結果、
【０２６８】
【化１４３】
0005228114.tif 000160
が０である最初の列は空になる。
【０２６９】
段階２で、
【０２７０】
【化１４４】
0005228114.tif 000161
が０である最初の列に、サウンディング参照信号の最大帯域幅に関するパラメータを追加する。さらにいうと、サウンディング参照信号帯域幅の大きさに対応付けるために、
【０２７１】
【化１４５】
0005228114.tif 000162
に設定し、サウンディング参照信号の周波数跳躍と関連したパラメータである
【０２７２】
【化１４６】
0005228114.tif 000163
は１に設定される。したがって、図２１では
【０２７３】
【化１４７】
0005228114.tif 000164
に設定される。
【０２７４】
【化１４８】
0005228114.tif 000165
のような条件を満たさなければならない。したがって、段階３では、
【０２７５】
【化１４９】
0005228114.tif 000166
が１である場合における周波数跳躍関連パラメータである
【０２７６】
【化１５０】
0005228114.tif 000167
を満たすように修正する。したがって、図２１で
【０２７７】
【化１５１】
0005228114.tif 000168
を満たすように２に設定される。
【０２７８】
上のような方案によれば、基地局は、上述した方案によって再設定されたパラメータに基づき、コンポーネント搬送波の個数
【０２７９】
【化１５２】
0005228114.tif 000169
にかかわらず、
【０２８０】
【化１５３】
0005228114.tif 000170
で構成されたパラメータセットを端末に送信することによって、サウンディング参照信号を、周波数集約の適用されたアップリンクチャネルに割り当てることができる。
【０２８１】
（２）第二の方案は、サウンディング参照信号の最大帯域幅が全体アップリンク帯域と同一となるように、全ての
【０２８２】
【化１５４】
0005228114.tif 000171
倍拡張するものである。より具体的にいうと、全ての端末特定パラメータ
【０２８３】
【化１５５】
0005228114.tif 000172
に設定する。
【０２８４】
図１９は、本発明の実施例４に係るサウンディング参照信号のための他のリソース割当方法を説明するための図である。特に、図１９も、表４で、
【０２８５】
【化１５６】
0005228114.tif 000173
が１であり、コンポーネント搬送波の個数
【０２８６】
【化１５７】
0005228114.tif 000174
が２である場合のみを示し、一つのコンポーネント搬送波は、
【０２８７】
【化１５８】
0005228114.tif 000175
のリソースブロック（Ｒｅｓｏｕｒｃｅ  Ｂｌｏｃｋ、ＲＢ）で構成されるとする。すなわち、図１９で、
【０２８８】
【化１５９】
0005228114.tif 000176
に設定され、
【０２８９】
【化１６０】
0005228114.tif 000177
に設定される。
【０２９０】
第二の方案も同様、基地局は、再設定されたパラメータに基づき、コンポーネント搬送波の個数
【０２９１】
【化１６１】
0005228114.tif 000178
にかかわらず、
【０２９２】
【化１６２】
0005228114.tif 000179
で構成されたパラメータセットを端末に送信することによってサウンディング参照信号を割り当てることができる。
【０２９３】
（３）最後の方案は、サウンディング参照信号の最大帯域幅を
【０２９４】
【化１６３】
0005228114.tif 000180
に設定し、最小帯域幅を
【０２９５】
【化１６４】
0005228114.tif 000181
に設定するものである。最後の方案において、基地局は、上述したパラメータセットに加えて、一つの
【０２９６】
【化１６５】
0005228114.tif 000182
をさらに送信する。
【０２９７】
【化１６６】
0005228114.tif 000183
は、０〜３の値を取り、２ビット情報で構成される。
【０２９８】
より具体的に、まず、基地局からシグナリングされた
【０２９９】
【化１６７】
0005228114.tif 000184
を用いて
【０３００】
【化１６８】
0005228114.tif 000185
拡張する。すなわち、
【０３０１】
【化１６９】
0005228114.tif 000186
になるように設定する。
【０３０２】
次に、
【０３０３】
【化１７０】
0005228114.tif 000187
を有するパラメータセットに対して、
【０３０４】
【化１７１】
0005228114.tif 000188
拡張する。
【０３０５】
このような最後の方案を、図２０乃至図２３を参照して説明する。特に、図２０乃至図２３も同様、表４で、
【０３０６】
【化１７２】
0005228114.tif 000189
が１であり、コンポーネント搬送波の個数
【０３０７】
【化１７３】
0005228114.tif 000190
が２である場合のみを示す。
【０３０８】
図２０は、基地局から
【０３０９】
【化１７４】
0005228114.tif 000191
が０とシグナリングされた場合であり、
【０３１０】
【化１７５】
0005228114.tif 000192
倍拡張するので、
【０３１１】
【化１７６】
0005228114.tif 000193
は２と設定される。一方、
【０３１２】
【化１７７】
0005228114.tif 000194
を有するパラメータセットは存在しないので、
【０３１３】
【化１７８】
0005228114.tif 000195
を拡張する段階を省略する。
【０３１４】
図２１乃至図２３は、基地局から
【０３１５】
【化１７９】
0005228114.tif 000196
がそれぞれ１、２、３とシグナリングされた場合であり、
【０３１６】
【化１８０】
0005228114.tif 000197
はそれぞれ６、４、８に設定される。また、図２１は、
【０３１７】
【化１８１】
0005228114.tif 000198
が０であるパラメータセットの
【０３１８】
【化１８２】
0005228114.tif 000199
を満たすように設定する。
【０３１９】
同様に、図２２は、
【０３２０】
【化１８３】
0005228114.tif 000200
が０、１であるパラメータセットの
【０３２１】
【化１８４】
0005228114.tif 000201
を満たすように設定し、図２３は、
【０３２２】
【化１８５】
0005228114.tif 000202
が０、１、２であるパラメータセットの
【０３２３】
【化１８６】
0005228114.tif 000203
を満たすように設定する。
【０３２４】
これらの方案によって周波数跳躍帯域幅が拡張されるため、サウンディング参照信号の周波数跳躍始点に関する周波数領域パラメータである
【０３２５】
【化１８７】
0005228114.tif 000204
も拡張される必要がある。より詳細に説明すると、アップリンク全帯域のＲＢの個数が４の倍数である
【０３２６】
【化１８８】
0005228114.tif 000205
であるとすれば、
【０３２７】
【化１８９】
0005228114.tif 000206
の範囲は、アップリンク全帯域を反映できるように、
【０３２８】
【化１９０】
0005228114.tif 000207
のように拡張される。
【０３２９】
現在ＬＴＥシステムにおいて
【０３３０】
【化１９１】
0005228114.tif 000208
であり、サウンディング参照信号の最大帯域幅である９６ＲＢを支援でき、５ビットデータで表現される。したがって、本発明の実施例４を支援するためには、
【０３３１】
【化１９２】
0005228114.tif 000209
のための追加的な
【０３３２】
【化１９３】
0005228114.tif 000210
が要求される。
【０３３３】
図２４は、本発明の一実施例による通信送受信機のブロック構成図を示す図である。送受信機は、基地局または端末の一部でよい。
【０３３４】
図２４を、参照すると、送受信機２４００は、プロセッサ２４１０、メモリー２４２０、ＲＦモジュール２４３０、ディスプレイモジュール２４４０及びユーザインターフェースモジュール２４５０を含む。
【０３３５】
送受信機２４００は、説明の便宜のために示されたもので、一部のモジュールは省略することができる。また、送受信機２４００は、必要なモジュールをさらに含むこともできる。また、送受信機２４００において、一部のモジュールは、より細分化したモジュールにすることもできる。プロセッサ２４２０は、図面を参照して例示した本発明の実施例に係る動作を行うように構成される。
【０３３６】
具体的に、送受信機２４００が基地局の一部である場合に、プロセッサ２４２０は、制御信号を生成して、複数の周波数ブロック内に設定された制御チャネルにマッピングする機能を果たすことができる。また、送受信機２４００が端末の一部である場合に、プロセッサ２４２０は、複数の周波数ブロックから受信された信号から、自身に指示された制御チャネルを確認し、その制御チャネルから制御信号を抽出することができる。
【０３３７】
その後、プロセッサ２４２０は、制御信号に基づいて必要な動作を行うことができる。プロセッサ２４２０の詳細な動作は、図１乃至図２３に記載された内容を参照することができる。
【０３３８】
メモリー２４２０は、プロセッサ２４１０に接続し、オペレーティングシステム、アプリケーション、プログラムコード、データなどを格納する。ＲＦモジュール２４３０は、プロセッサ２４１０に接続し、基底帯域信号を無線信号に変換したり、無線信号を基底帯域信号に変換する機能を果たす。そのために、ＲＦモジュール２４３０は、アナログ変換、増幅、フィルタリング及び周波数アップ変換またはそれらの逆過程を行う。ディスプレイモジュール２４４０は、プロセッサ２４１０に接続し、様々な情報をディスプレイする。ディスプレイモジュール２４４０は、次のものに制限されるものではないが、ＬＣＤ（Ｌｉｑｕｉｄ  Ｃｒｙｓｔａｌ  Ｄｉｓｐｌａｙ）、ＬＥＤ（Ｌｉｇｈｔ  Ｅｍｉｔｔｉｎｇ  Ｄｉｏｄｅ）、ＯＬＥＤ（Ｏｒｇａｎｉｃ  Ｌｉｇｈｔ  Ｅｍｉｔｔｉｎｇ  Ｄｉｏｄｅ）のような周知の要素を用いることができる。ユーザインターフェースモジュール２４５０は、プロセッサ２４１０に接続し、キーパッド、タッチスクリーンなどのような周知のユーザインターフェースの組み合わせで構成されてよい。
【０３３９】
以上説明してきた実施例は、本発明の構成要素及び特徴を所定形態に結合したものである。各構成要素または特徴は、別の明示的な言及がない限り、選択的なものとして考慮しなければならない。各構成要素または特徴は、他の構成要素や特徴と結合しない形態で実施することもでき、一部の構成要素及び／または特徴を結合して本発明の実施例を構成することもできる。本発明の実施例で説明される動作の順序は変更可能である。ある実施例の一部の構成や特徴は、別の実施例に含まれることもでき、別の実施例の対応する構成または特徴に取って代わることもできる。特許請求の範囲において明示的な引用関係にない請求項を結合して実施例を構成したり、出願後の補正により新しい請求項として含めたりすることができることは明らかである。
【０３４０】
本文書で、本発明の実施例は、端末と基地局間のデータ送受信関係を中心に説明された。本文書で基地局により行われるとした特定動作は、場合によっては、その上位ノード（ｕｐｐｅｒ  ｎｏｄｅ）により行われてもよい。すなわち、基地局を含む多数のネットワークノード（ｎｅｔｗｏｒｋ  ｎｏｄｅｓ）からなるネットワークにおいて端末との通信のために行われる様々な動作は、基地局または基地局以外の別のネットワークノードにより行われてもよいことは明らかである。基地局は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ａｃｃｅｓｓ  ｐｏｉｎｔ）などの用語に代替可能である。また、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に代替可能である。
【０３４１】
本発明による実施例は様々な手段、例えば、ハードウェア、ファームウェア（ｆｉｒｍｗａｒｅ）、ソフトウェアまたはそれらの結合などにより具現することができる。ハードウェアによる具現の場合、本発明の一実施例は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【０３４２】
ファームウェアやソフトウェアによる具現の場合、本発明の一実施例は、以上で説明された機能または動作を行うモジュール、手順、関数などの形態で具現されることができる。ソフトウェアコードは、メモリユニットに記憶されて、プロセッサにより駆動されることができる。メモリユニットは、プロセッサの内部または外部に設けられ、既に公知の様々な手段によりプロセッサとデータを交換することができる。
【０３４３】
本発明は、本発明の特徴を逸脱しない範囲で別の特定の形態に具体化可能であるということは、当業者にとっては自明である。したがって、上記の詳細な説明は、いずれの面においても制限的に解釈してはならず、例示的なものとして考慮しなければならない。本発明の範囲は、添付の請求項の合理的な解釈により決定すべきであり、本発明の等価的範囲内における変更はいずれも本発明の範囲に含まれる。
【産業上の利用可能性】
【０３４４】
本発明は、無線通信システムに適用することができる。特に、本発明は、周波数集約の適用された無線通信システムにおいてサウンディング参照信号を送信する方法及び装置に適用することができる。
【図１】
0005228114.tif 000211
【図２】
0005228114.tif 000212
【図３】
0005228114.tif 000213
【図４】
0005228114.tif 000214
【図５】
0005228114.tif 000215
【図６】
0005228114.tif 000216
【図７】
0005228114.tif 000217
【図８】
0005228114.tif 000218
【図９】
0005228114.tif 000219
【図１０】
0005228114.tif 000220
【図１１】
0005228114.tif 000221
【図１２】
0005228114.tif 000222
【図１３】
0005228114.tif 000223
【図１４】
0005228114.tif 000224
【図１５】
0005228114.tif 000225
【図１６】
0005228114.tif 000226
【図１７】
0005228114.tif 000227
【図１８】
0005228114.tif 000228
【図１９】
0005228114.tif 000229
【図２０】
0005228114.tif 000230
【図２１】
0005228114.tif 000231
【図２２】
0005228114.tif 000232
【図２３】
0005228114.tif 000233
【図２４】
0005228114.tif 000234